(57)【要約】【課題】  凸部と凹部との嵌着により組み立てる構造により、従来の電極管の欠点を改善する静電気油煙集塵装置の電極管を提供する。【解決手段】  複数の壁面を有し、一方の対角にそれぞれ凸部が形成されると共に、他方の対角にそれぞれ凹部が形成される電極管が複数設けられ、  前記電極管は、隣り合う電極管の凸部と凹部との嵌着により組み立てられると共に、組み立て後、隣り合う電極管の上端と下端が固結されることを特徴とする。【選択図】  図３
0003123794.tif 000002
【実用新案登録請求の範囲】
【請求項１】
複数の壁面を有し、一方の対角にそれぞれ凸部が形成されると共に、他方の対角にそれぞれ凹部が形成される電極管が複数設けられ、
前記電極管は、隣り合う電極管の凸部と凹部との嵌着により組み立てられると共に、組み立て後、隣り合う電極管の上端と下端が固結されることを特徴とする静電気油煙集塵装置の電極管。
【請求項２】
前記凸部が電極管の上端から下端にわたって形成されると共に、前記凹部が電極管の上端から下端にわたって形成されることを特徴とする請求項１に記載の静電気油煙集塵装置の電極管。
【請求項３】
幅の異なる複数の壁面を有し、１つの長辺を有する壁面の両側と、短辺を有する２つの壁面とが成す角にそれぞれ凸部と凹部が形成される固定管を更に有し、
前記組み立てられた複数の電極管における凸部と前記固定管の凹部とが嵌着されると共に、前記組み立てられた複数の電極管における凹部と前記固定管の凸部とが嵌着され、
該組み立てられた固定管と電極管との上端と下端が固結されることを特徴とする請求項１又は２に記載の静電気油煙集塵装置の電極管。
【考案の詳細な説明】
【技術分野】
【０００１】
本考案は、特に凸部と凹部との嵌着により組み立てられる静電気油煙集塵装置の電極管に関するものである。
【背景技術】
【０００２】
静電気油煙集塵装置は主に油煙や塵埃などの物質を静電気で集塵し、浄化してから、清潔な空気を外部に排出するものであるので、環境保護に寄与するものである。
【０００３】
一般の静電気油煙集塵装置は、縦方向に貫通する矩形の電極管が複数並設され、該電極管の内部中央に棒状電極が貫設されると共に、上層内部に自動噴出洗浄管が設けられる。
【０００４】
また、前記棒状電極は、イオンを発生させて、帯電した油煙や塵埃などを異性の電極に吸着させることにより、油煙や塵埃を取り除くものである。
【考案の開示】
【考案が解決しようとする課題】
【０００５】
しかしながら、図７及び図８に示すように、静電気油煙集塵装置に用いられる従来の電極管（６０）は、横方向板と縦方向板の中央にスリットが形成されると共に、接合部が溶接されることにより、交差状に組み合わされるものであり、更に、該電極管（６０）の内部の中央に、上端と下端がフレーム（７１）に固定される棒状電極（７０）が貫設される構成を有するので、以下に示すような欠点を有する。
１．製造コストが増大すると共に、過度な浪費の問題を有し、精密度の維持も難い。
２．電極管（６０）の長さが数メートルもあるので、溶接工程がし難い。
３．構造強度が理想的ではないので、変形しやすく、修理もし難い。
【０００６】
そこで、案出されたのが本考案であって、凸部と凹部との嵌着により組み立てられる静電気油煙集塵装置の電極管を提供することを目的としている。
【課題を解決するための手段】
【０００７】
本願の請求項１の考案は、複数の壁面を有し、一方の対角にそれぞれ凸部が形成されると共に、他方の対角にそれぞれ凹部が形成される電極管が複数設けられ、前記電極管は、隣り合う電極管の凸部と凹部との嵌着により組み立てられると共に、組み立て後、隣り合う電極管の上端と下端が固結されることを特徴とする静電気油煙集塵装置の電極管及び、本願の請求項２の考案は、前記凸部が電極管の上端から下端にわたって形成されると共に、前記凹部が電極管の上端から下端にわたって形成されることを特徴とする請求項１に記載の静電気油煙集塵装置の電極管及び、本願の請求項３の考案は、幅の異なる複数の壁面を有し、１つの長辺を有する壁面の両側と、短辺を有する２つの壁面とが成す角にそれぞれ凸部と凹部が形成される固定管を更に有し、前記組み立てられた複数の電極管における凸部と前記固定管の凹部とが嵌着されると共に、前記組み立てられた複数の電極管における凹部と前記固定管の凸部とが嵌着され、該組み立てられた固定管と電極管との上端と下端が固結されることを特徴とする請求項１又は２に記載の静電気油煙集塵装置の電極管、を提供する。
【考案の効果】
【０００８】
本考案は上記の課題を解決するものであり、前記従来の電極管の欠点を改善する静電気油煙集塵装置の電極管を提供することにより、低コストで効率よく、且つ精密度の高い工程を施せると共に、理想的な構造強度を維持することが可能となる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る静電気油煙集塵装置の電極管の斜視図であり、図２は本考案に係る静電気油煙集塵装置の電極管における固定管の斜視図であり、図３は本考案に係る静電気油煙集塵装置の電極管と固定管とが溶接された状態を示す斜視図であり、図４は本考案に係る静電気油煙集塵装置の電極管と固定管とが溶接された状態を示す平面図であり、図５は本考案に係る静電気油煙集塵装置の電極管の使用状態を示す一部斜視図であり、図６は本考案に係る静電気油煙集塵装置の電極管の使用状態を示す正面断面図である。
【００１１】
図１、図３及び図４に示すように、本考案に係る静電気油煙集塵装置の電極管は、四角柱の電極管（１０）と、角パイプ状の固定管（２０）と、Ｌ形ベース（３０）とを有し、該電極管（１０）は、４つの壁面（１１）を有し、一方の対角にそれぞれ凸部（１２）が形成されると共に、他方の対角にそれぞれ凹部（１３）が形成され、該凸部（１２）は、電極管（１０）の上端から下端にわたって形成され、一方、該凹部（１３）も電極管（１０）の上端から下端にわたって形成される。又、該電極管（１０）は複数構成であり、隣り合う電極管（１０）の凸部（１２）と凹部（１３）との嵌着により組み立てられ、
組み立て後、その隣り合う電極管の上端と下端が溶接される。
尚、前記電極管（１０）は、６つの壁面或いは８つの壁面から構成されてもよい。
【００１２】
図２乃至図３に示すように、本考案に係る静電気油煙集塵装置の電極管における固定管（２０）は、前記組み立てられた電極管（１０）の周囲に設置され、幅の異なる複数の壁面を有し、１つの長辺を有する壁面の両側と、短辺を有する２つの壁面とが成す角にそれぞれ前記電極管（１０）の凸部（１２）と凹部（１３）と対応する凸部（２１）と凹部（２２）が形成される。即ち、前記組み立てられた複数の電極管（１０）の周縁における凸部（１２）と前記固定管（２０）の凹部（２２）とが嵌着されると共に、前記組み立てられた複数の電極管（１０）の周縁における電極管（１０）の凹部（１３）と前記固定管（２０）の凸部（２１）とが嵌着され、組み立て後、固定管（２０）と電極管（１０）との上端と下端が溶接される。
【００１３】
又、本考案の組み立てられた複数の電極管（１０）と複数の固定管（２０）を静電気油煙集塵装置の内部に設置する場合、該複数の固定管（２０）の上端と下端が夫々静電気油煙集塵装置の内部に設けられるＬ形ベース（３０）に固定される。
【００１４】
図５及び図６に示すように、本考案に係る静電気油煙集塵装置の電極管においては、上端及び下端がフレーム（５０）に固定される棒状電極（４０）が電極管（１０）の内部中央に貫設される構成を有することから、電極管（１０）を通過する油煙を吸着させることができるので、優れた集塵効果を達成できる。故に、本考案に係る電極管を用いた静電気油煙集塵装置は、レストランや厨房、工場などの、空気中に油煙や塵埃などが充満しやすい環境に最適であると言える。
【００１５】
上述したように、本考案に係る静電気油煙集塵装置の電極管は、従来の電極管の欠点を改善するものであり、少なくとも以下の効果を有する。
１．本考案に係る電極管（１０）の壁面（１１）を、隣り合う電極管（１０）の壁面（１１）と連結させる構成とすることにより、低コスト化を図れると共に、製造工程についてはさらに、同一仕様の鋳型で製造した後、必要な長さに切断することで、高効率で精密な製造を行うことができる。
２．電極管（１０）を組み立てる時は、単に電極管（１０）の凸部（１２）及び凹部（１３）を、隣り合う電極管（１０）の凸部（１２）及び凹部（１３）と嵌着するだけでよいので、組み立てが非常に簡単であると共に、所定の構造強度も維持することができる。故に、使用寿命をより延ばすことができる。
【産業上の利用可能性】
【００１６】
本考案は上記の構成を有することから、単に凸部と凹部との嵌着によって組み立てることができるので、低コストでありながら、効率よく精密な工程を施すことができると共に、理想的な構造強度を得ることが可能である。
【図面の簡単な説明】
【００１７】
【図１】本考案に係る静電気油煙集塵装置の電極管の斜視図である。
【図２】本考案に係る静電気油煙集塵装置の電極管における固定管の斜視図である。
【図３】本考案に係る静電気油煙集塵装置の電極管と固定管とが溶接された状態を示す斜視図である。
【図４】本考案に係る静電気油煙集塵装置の電極管と固定管とが溶接された状態を示す平面図である。
【図５】本考案に係る静電気油煙集塵装置の電極管の使用状態を示す一部斜視図である。
【図６】本考案に係る静電気油煙集塵装置の電極管の使用状態を示す正面断面図である。
【図７】従来の静電気油煙集塵装置の電極管構造の使用状態を示す縦向の一部断面図である。
【図８】従来の静電気油煙集塵装置の電極管構造の使用状態を示す一部断面斜視図である。
【符号の説明】
【００１８】
１０        電極管
１１        壁面
１２        凸部
１３        凹部
２０        固定管
２１        凸部
２２        凹部
３０        L形ベース
４０        棒状電極
５０        フレーム
６０        電極管
７０        棒状電極
７１        フレーム
【図１】
0003123794.tif 000003
【図２】
0003123794.tif 000004
【図３】
0003123794.tif 000005
【図４】
0003123794.tif 000006
【図５】
0003123794.tif 000007
【図６】
0003123794.tif 000008
【図７】
0003123794.tif 000009
【図８】
0003123794.tif 000010